(57)【要約】      （修正有）【課題】放屁の度に失禁することが多い人のために、メンス用のパッドに似た「汚れ吸収・拭収用パッド」が公知であるが、まだ実用化できていない。そのため女性用を転用する場合もあるが、ブリーフを汚れて仕舞うことが多い。そこでトイレにおいて、男女ともズボン等を下げただけでブリーフの取替えが可能な下着が切望されている。【解決手段】以前、女性用に発明していた物を改良して、両性用として考案したのが本発明である。ブリーフを例に採れば、その両サイドを開け止めて着脱できるようにするのは、勿論であるが、そのベルトの役割をするゴムの取付け方や仮縛り止め紐などに工夫を出して、使用性と仕上げ性を向上させた。【選択図】なし【特許請求の範囲】
【請求項１】
（１）男性用のブリーフや女性用のパンティーのような下半身用のショート下着（股下の無い、ぴったりした肌着）において、それを、着脱する場合に、足先を潜らせ無くても宜しいようにしたい。
（２）そこで、左右のサイドで、ホックやスナップか或いはファスナーや面ファスナーか或いはボタン類か或いは紐か或いは接着テープか、等で以て止めて置いて、脱ぐ場合には、その止め具を解外して脱げるようにしたい。
（３）腰へ止める（ベルトの作用をする）部分の在り方は、従来通り、ゴム紐やゴムテープを通しても或いはゴムテープを縫い付けても宜しいが、（２）の止め具を取り付ける前腰布の左右両端と後ろ腰布の左右両端にゴム布を配して、締め付け得るようにしても宜しい。
（４）なお、老人や所作の鈍い人のことも考えて、着用の際に便利なように、後ろ腰布の左右の両端に、Ｈ褌における紐に似た、即ち、本発明を腰の後ろに垂らして前腰で結んで腰に仮締めする為の細い紐を設けても宜しい。
以上のように構成された、ストリッパブルｓｔｒｉｐａｂｌｅと呼ぶことにする、非穿脱無股下肌着。
【請求項２】
「請求項１」における「非穿脱無股下下着」からヒントを得て、下半身下着において、そのゴム類を用いた「腰締め法」の一方法として、ゴム紐やゴムテープを通したり縫い付けたりしたのでは、穿いた場合、特に、前腰のベルトとなる部分にだぶつき感が出てすっきりしないので、左右両サイドに適当な大きさのＶ字型の楔を入れてゴム布を縫い付けた、「すっきり着用タイプ」の、パンティーやブリーフやパンタロンやズボン下などの下半身下着類。
【請求項３】
「請求項２」における「すっきり着用タイプの下半身下着類」と同様な方法を以て、同様な穿いた場合の「すっきり感の出る上着用スラックス類」。
【請求項４】
「請求項１」における「ストリッパブル・ブリーフ」において、或いは「請求項２」における、その他の「男性下半身下着」において、前開きは、従来通り「打ち合わせ前開き」としても宜しいが、左右どちらか寄りに、打ち合わせ部分が無いか極く少ない「スリット状の前開き」を設けても宜しい。
【請求項５】
「請求項１」における「ストリッパブル」における止め具の一である「接着テープ」は別売り式の両面接着テープとして、使用の度にストリッパブルに貼付して使用する物としたい。
なお、ロール式では、そのホルダーに、「必要な長さを測定できる巻き尺」がテープの引き出しと並行して引き出せうるようにして、接着テープを必要に応じた長さに切断しうるようにした物も用意したい。
【発明の詳細な説明】
【発明の詳細な説明】
【９００００００００１】  私は、先般、「密着型下半身用肌着用清潔用内張」（平成１５年８月１５日出願・特願２００３−３２９０４８）を発明している。私は、毒の所為か電磁波の所為か、はっきりしないのであるが、昭和４９年頃からか、痔が腫れては破れて大出血し、また、その後便秘を伴うようになり、加えて、腸内に大量にガス（炭酸ガスに違い無いと最近気付いた）が溜まるようになり、極く最近では、水分が快く腸に吸収されず、下痢症状になることが多くなり困っている。これらの症状の為、血や放屁や排尿に伴う失禁で以てブリーフが汚れるので、女性用の吸血パッドのような、肛門用の「汚れ吸収・拭収用パッド」を発明した次第である。  ところで、ガスに因る「鼓腸（腸管内に大量のガスが溜まり腹部が膨隆した状態）」は、腸捻転などの怪我による異状から起こる腸閉塞症ではなく、腸が毒や電磁波で以て蠕動（筋肉の収縮によって生じた括れが波のように徐々に伝播していく形の運動）が極めて弱まり便の排出が滞って、そこで発酵が続き炭酸ガスがどんどん発生して、便となる物と腸壁との間に溜まり、終には腸壁の蠕動が便となる物に作用しなくなり、ガスを抜かない限り便となる物はそこに停滞して仕舞った症状と考えられる。  従って、この状態では、水分を摂っても、便となる物と腸壁との間を通過して直腸近くに水便が溜まって仕舞い、排尿とか放屁とかの折、水便を失禁することになる。  この状態から開放されるには、水分のみを摂り、他を断食するのが、一番と考えられる。勿論、断食では、精神と肉体の作用を出来るだけ抑え、カロリーの消費を抑える必要が有ることは当然である。栄養が保た無ければ、適当な栄養液の注射を受けるべきである。  従って、鼓腸対症医院と言うのが在って然るべきである。以前、或る医師に便秘の為の浣腸をしてくれないかと頼んだら「私がですか」と言われた。今、やっと、浣腸をしても中々効果の上がる場合は少ないだろうことが判った。先ず、ガスを抜かなくてはならないのである。  ガスは、立っている場合や椅子に腰掛けている場合よりは、横臥した場合の方が放出しやすい。冬期には、暖かくして横になって見ることである。しかし、完全に放出できるとは限らないので、当分の間、節食しては、横臥を繰り返して見て、ガスを抜きたいものである。  では、こう言う鼓腸の因果の初期原因は、と考えて見ると、私のような、人物では、電磁波による蠕動障害と考えられるが、一般の人を、私と同じように電磁波で以て障害し続けることは、経費の点から有りえないので、それは、毒を判らないように使われたことになる。  私の思い付きでは、一番手取り早い物のは、重曹ＮａＨＣＯ３（加熱すれば炭酸ガスを放出するので膨らし粉として用いる）であろう。冷たい飲料などの食品に混入されると、胃腸内で温まって、炭酸ガスを急激に発生することになる。これをイニシアチブとして、摂る度の食事が腸内に停滞し発酵して鼓腸は治まらないことになる。  また、重曹は、胃腸内で、ＮａＨＣＯ３→ＣＯ２＋ＮａＯＨとなる。即ち、簡単に炭酸ガスと苛性ソーダと成る。ＣＯ２は述べたように鼓腸の原因に、ＮａＯＨは「皮膚やその他の動物組織に激しく作用し、腐食（腐らせて形を崩すこと）させる」。即ち、生体の蛋白質が苛性ソーダに加水分解的に分解されるのである。2006233401.tif 000002解すること即ち蛋白質をアミノ酸に分解することを加水分解と言う。つまり、要約すると、−ＣＯ−ＨＮ−にＨ２Ｏを加えて−ＣＯＯＨとＮＨ２とすることを言う。この腐敗菌を触媒とする加水分解の一現象を腐敗と呼び、また、酵母菌などによる一現象を発酵と言う。  この腐敗や発酵と同じように述べれば、苛性ソーダの腐食作用は、−ＣＯ−ＨＮ−にＮａＯＨを加えて−ＣＯＯＮａとＮＨ２に分解することを言うことになる。  従って、重曹が胃腸内で炭酸ガスと苛性ソーダとに分解して、炭酸ガスが鼓腸を引き起こすと同時に、苛性ソーダは胃腸壁を冒すことになる。この両面から胃腸は正常な機能を破壊されることになる。  本来、重曹の分解作用は可逆性のある平衡反応であり、ビーカーに蓋をして、その溶液を温めると発生するこの分解物質は、加熱を止めて放置して、温度が下げると、再び重曹水に帰る。しかし、胃腸内は低温化することはないので、その可逆反応は起こらず、苛性ソーダは胃腸を腐食し続けることになる。重曹を胸焼けを起しても居ないのに、多量に服用することは、まさに、服毒に等しい訳である。  斯かる服毒的症状を殆ど毎日のように私は起しているのであるが、その為に、冒頭に述べたような、汚れ吸収・拭収パッドを必要とし、私がまだ企業化して居ないので、仕方なくメンス用の市販パッドを使用して居るのであるが、時には、大汚れしてブリーフまでも取替え無くてはならない場合もあるのであるが、夏期は兎も角現在のような冬期で厚着しているような場合には、ズボンや袴下などを下げただけで取替えられるブリーフが欲しくなる。勿論、メンスの場合の女性も同じ要望であろう。  そこで発明したのが本発明達である。以前、私は、性交渉用や老人用などに、先ず、Ｈ褌の紐のゴム紐化から発して、パンティーの同様なＨ褌化、そして、パンティーガードルの同様化などを発明して来た。（公序良俗違反につき、不掲載）  生活経済は与えられることの中には絶対に無く、自分が実質を求める働きの内にこそ存在することを、為政者自身も国民も真から理解するべきである。経済の本質は自分の痛みは多分他人の痛みであろうと言う所にある。痛みを解決しない商品経済と言うものは絶対に成り立たない。他人の地位や富を盗まんが為だけの商品やサービスは公共のものであろうと民間のものであろうと、決して国民経済を健全に再生産過程に乗せることは有りえない。勿論、貴族色商品においてもである。（公序良俗違反につき、不掲載）  発明家必ずしも有能な企業家とは限らないので、発明家の多くが有能な企業家を求めているものだと言うことも、自信を以て正しく理解するべきである。また、発明の対価も最近標準価が定まりつつあり、それをベースにそれぞれ個別的に算出できる所に来ている。  それにしても、本発明達のようなそれぞれの日用品の愛用者が、目的の場所に臨んだ場合、そこで「高級な装飾品」に着替えて貰えるような、「心と経済にゆとりの在る」、電磁波で以て支配されたり操縦されたりしない、社会が一日も早く来ることを願わずには居られない。即ち、それぞれ各人が「舞台衣装」も楽しめる生活経済招来の可能性を想像して貰えよう。  私は、電磁波を吸収する元素群を発見��、それらを用いれば、電磁波を防御しうることを発明している。どちらかのホテルやデパートやオフイスや家屋やスタジオなどから、その防御化工事のご注文は頂けまいか。  きっと、落着いた優雅な「愛情と知性と信義とセンス」の漂う一時を提供して貰えるように工事が出来ると思っている。そうなれば、自ずと、本発明達などの衣装類にも、貴族色趣味が蘇り、我国に再び高級アパレル工場がきっと再生するに違いなく、働く人たちにも暖かく厚みのある生活経済を営んで貰えることにもなると確信している。